(57)【要約】      （修正有）【課題】快適に過ごすための行動の選択における指標を提示する照明システム、照明制御プログラム及び照明制御方法を提供する。【解決手段】照明装置１０は、発光体と、動物Ａ、Ｂ、Ｃ、Ｄに装着された通信機２１〜２４に対して情報送信要求を送信し、該要求に対する応答を受信する通信部と、通信部により受信された応答に基づき、通信機２１〜２４の数を計数する計数部と、計数部により算出された値に応じた様態で発光体を発光させる制御部と、を有する。【選択図】図１
2018101590.tif 000002
【特許請求の範囲】
【請求項１】
発光体と、
動物に装着された通信機に対して情報送信要求を送信し、該要求に対する応答を受信する通信部と、
前記通信部により受信された応答に基づき、通信機の数を計数する計数部と、
前記計数部により算出された値に応じた様態で前記発光体を発光させる制御部と、
を有することを特徴とする照明システム。
【請求項２】
前記通信部および計数部は複数の発光体のそれぞれに対応して設けられ、前記制御部は前記複数の計数部から前記値を受信することを特徴とする請求項１記載の照明システム。
【請求項３】
前記制御部は、前記値に応じた色で前記発光体を発光させることを特徴とする請求項１又は２に記載の照明システム。
【請求項４】
前記通信部は、前記複数の発光体のうち、対応する発光体以外の発光体の中で最も近い発光体までの距離より短い送出距離で、前記情報送信要求を送信することを特徴とする請求項２に記載の照明システム。
【請求項５】
動物に装着された通信機に対して情報送信要求を送信し、該要求に対する応答を受信する処理と、
受信された応答に基づき、通信機の数を計数する処理と、
前記計数する処理により算出された値に応じた様態で発光体を発光させる処理と、をコンピュータに実行させることを特徴とする照明制御プログラム。
【請求項６】
コンピュータによる照明制御方法であって、該コンピュータが、
動物に装着された通信機に対して情報送信要求を送信し、該要求に対する応答を受信し、
受信された応答に基づき、通信機の数を計数し、
計数する手順により算出された値に応じた様態で発光体を発光させる、ことを特徴とする照明制御方法。
【発明の詳細な説明】
【技術分野】
【０００１】
本発明は、照明システム、照明制御プログラム及び照明制御方法に関する。
【背景技術】
【０００２】
様々な目的を持った人が集まる公共の施設の１つとして、公園が挙げられる。公園は、憩いの場としても、その存在があり、そこに集う人々は公園で快適な時間を過ごしたいと願っている。
【０００３】
また、公園には、ペットを連れて集まる人も多い。代表的なペットである犬は、健康管理のために定期的に散歩をさせることが必要とされており、公園は犬を散歩させるのに適切な場所のうちの１つである。
【先行技術文献】
【特許文献】
【０００４】
【特許文献１】特開２００８−１５９００５号公報
【特許文献２】特開２００２−３３４７９３号公報
【発明の概要】
【発明が解決しようとする課題】
【０００５】
このように、公園には様々な目的を持った人が集るため、そこに集う人々の間で在園する目的や行動における嗜好が相いれない場合もある。例えば、公園で犬を散歩させる人々は、犬が好きであるという嗜好を持つ。一方、公園には、憩いの場を求めて訪れた、犬を好まない人が在園する場合もある。
【０００６】
この場合、犬を好まない人は、犬に遭遇して不快な気分になることを憂慮し、公園の中で犬と遭遇する機会はそれほど多くないとしても、その僅かな可能性のために公園に行くことをためらう可能性がある。
【０００７】
一態様によれば、本発明は、快適に過ごすための行動の選択の指標を提示することを目的としている。
【課題を解決するための手段】
【０００８】
一様態によれば、発光体と、動物に装着された通信機に対して情報送信要求を送信し、該要求に対する応答を受信する通信部と、前記通信部により受信された応答に基づき、通信機の数を計数する計数部と、前記計数部により算出された値に応じた様態で前記発光体を発光させる制御部と、を有する。
【０００９】
上記各部は、上記各部を手順としてコンピュータにより実行させる方法、プログラムを記憶したコンピュータ読み取り可能な記憶媒体とすることもできる。
【発明の効果】
【００１０】
快適に過ごすための行動の選択の指標を提示できる。
【図面の簡単な説明】
【００１１】
【図１】第一の実施形態の照明システムを説明する図である。
【図２】第一の実施形態の照明システムのシステム構成の一例を説明する図である。
【図３】照明制御サーバのハードウェア構成の一例を示す図である。
【図４】照明装置のハードウェア構成の一例を示す図である。
【図５】第一の実施形態の照明システムの有する各装置の機能を説明する図である。
【図６】第一の実施形態のカウント数保持部を説明する図である。
【図７】第一の実施形態の発光パターンテーブルの一例を示す図である。
【図８】第一の実施形態の照明システムの動作を説明するシーケンス図である。
【図９】第二の実施形態の照明システムのシステム構成の一例を説明する図である。
【図１０】第二の実施形態の照明システムの有する各装置の機能を説明する図である。
【図１１】第二の実施形態の応答情報の一例を示す図である。
【図１２】第二の実施形態の照明配置情報の一例を示す図である。
【図１３】第二の実施形態の照明システムの動作を説明するシーケンス図である。
【図１４】第二の実施形態の照明制御サーバの動作を説明するフローチャートである。
【発明を実施するための形態】
【００１２】
（第一の実施形態）
以下に図面を参照して第一の実施形態について説明する。図１は、第一の実施形態の照明システムを説明する図である。
【００１３】
本実施形態の照明システムでは、例えば、無線通信装置（以下、通信機）が組み込まれた首輪を犬に装着させる。そして、本実施形態では、この通信機と、公園等の公共施設に設置された照明装置との間で通信を行わせ、照明装置毎に、照明装置の近傍に滞在している通信機の数をカウントし、通信機の数に応じて照明装置の発光の態様を変更させる。
【００１４】
本実施形態では、このように、照明装置の発光を制御することで、照明装置の近傍に犬が存在するか否かを在園者に提示することができ、犬を好まない人に対して、犬と遭遇しない行動を選択するための指標を提示できる。
【００１５】
図１は、例えば公園１の敷地内に照明装置（街灯）１０、１１、１２が設定された例を示している。
【００１６】
図１の例では、照明装置１０の周囲では、通信機２１が組み込まれた首輪を装着した犬Ａをつれた人が散歩しており、照明装置１１の周囲では、通信機２２が組み込まれた首輪を装着した犬Ｂ、通信機２３が組み込まれた首輪を装着した犬Ｃ、通信機２４が組み込まれた首輪を装着した犬Ｄを連れた人が散歩している。また、照明装置１２の周囲には、犬を連れた人はいない。通信機２１〜２４には、例えば、各犬の犬鑑札に記載された登録番号が格納されている。
【００１７】
本実施形態において、照明装置１０〜１２は、登録番号の送信要求信号を発信する。このとき、照明装置１０〜１２から送信される送信要求信号の送出距離は、距離Ｌとする。
【００１８】
照明装置１０〜１３の送出距離Ｌ内に存在する通信機２１〜２４は、送信要求信号を受信し、その応答として、通信機２１〜２４に格納された登録番号を送信要求信号の送信元の照明装置へ送信する。
【００１９】
尚、本実施形態では、距離Ｌは、照明装置と他の照明装置のうち、自機と最も近い照明装置との間の距離よりも短い距離とした。本実施形態では、予め送出距離をこのように設定することで、通信機２１〜２４が複数の照明装置から送信要求信号を受信することを防止できる。また、各照明装置は、照明装置毎に、近傍に滞在する通信機の数をカウントすることができる。
【００２０】
図１の例では、通信機２１は、照明装置１０から発信される送信要求信号の送出距離Ｌの範囲内に存在する。また、通信機２２〜２４は、照明装置１１から発信される送信要求信号の送出距離Ｌの範囲内に存在する。
【００２１】
よって、通信機２１は、自機が受信した送信要求信号の送信元である照明装置１０に対して、犬Ａの犬鑑札に記載された登録番号を送信し、照明装置１０は、この登録番号を受信する。また、通信機２２〜２４のそれぞれは、自機が受信した送信要求信号の送信元である照明装置１１に対して、犬Ｂ、Ｃ、Ｄの犬鑑札に記載された登録番号を送信し、照明装置１１は、通信機２２〜２４のそれぞれから犬Ｂ、Ｃ、Ｄの登録番号を受信する。
【００２２】
照明装置１０、１１は、各通信機から登録番号を受信すると、受信した登録番号の数をカウントする。
【００２３】
照明装置１０は、通信機２１からしか登録番号を受信していないため、カウント数は１である。照明装置１１は、通信機２２〜２４から登録番号を受信したため、カウント数は３である。
【００２４】
よって、照明装置１０は、カウント数１と対応した発光の態様で点灯し、照明装置１１は、カウント数３と対応した発光の態様で点灯する。
【００２５】
このとき、照明装置１０、１１の発光の態様は、周囲に犬が存在しない照明装置１２の発光の態様と異ならせる。また、照明装置１０と照明装置１１では、カウント数が異なるため、照明装置１０と照明装置１１のそれぞれの発光の態様も異ならせることが好ましい。
【００２６】
本実施形態では、このように、照明装置１０〜１２の発光の態様を制御することで、例えば、犬を好まない来園者Ｈが公園１を訪れた場合に、犬と遭遇する可能性を下げるための行動の選択の指標を提示できる。言い換えれば、本実施形態によれば、来園者Ｈが公園内で快適に過ごすための行動の選択における指標を提示できる。
【００２７】
具体的には、本実施形態によれば、来園者Ｈに対し、照明装置１０〜１２の発光の態様から、Ｒ１方向に進んだ場合は犬と遭遇する可能性が高く、Ｒ２方向に進んだ場合は犬と遭遇する可能性が低いことを提示できる。
【００２８】
よって、本実施形態によれば、来園者Ｈは、自身が快適に過ごすためには、Ｒ２方向に進んだ方が良いと判断できる。
【００２９】
尚、図１の例では、通信機を装着した動物の一例を犬としているが、これに限定されない。通信機を装着している動物は、犬以外であっても良く、例えば街灯等の照明装置が存在する場所に滞在する可能性のある動物であれば、どのような動物であっても良い。
【００３０】
また、図１の例では、照明装置が設置された場所の一例を公園としているが、これに限定されない。照明装置が設置された場所は、動物が照明装置の周辺に滞在することができる場所であれば良く、公園以外の様々な場所であって良い。
【００３１】
また、図１の例では、通信機２１〜２４は、犬に装着される首輪に組み込まれるものとしたが、これに限定されない。本実施形態の通信機２１〜２４は、犬の身体に装着されるものであれば、首輪以外のものに組み込まれていても良い。
【００３２】
次に、図２を参照して本実施形態の照明システム１００のシステム構成について説明する。図２は、第一の実施形態の照明システムのシステム構成の一例を説明する図である。
【００３３】
本実施形態の照明システム１００は、照明制御サーバ２００と、照明装置１０、１１、１２を有する。照明システム１００において、照明制御サーバ２００と照明装置１０、１１、１２は、ネットワークを介して通信を行う。
【００３４】
尚、図２の例では、照明システム１００に含まれる照明装置を３台としているが、これに限定されない。照明システム１００に含まれる照明装置の台数は、任意の数であって良い。
【００３５】
本実施形態の照明制御サーバ２００は、照明制御処理部２１０を有し、各照明装置を制御する。本実施形態の照明装置１０、１１、１２は、それぞれが発光制御処理部１１０、１２０、１３０を有し、各照明装置の有する発光体の発光を制御する。
【００３６】
本実施形態の照明システム１００において、各発光制御処理部は、定期的に送出距離Ｌの送信要求信号を周囲に対して送信し、送信要求信号の受信圏内に存在する通信機から、送信要求に対する応答として、通信機のメモリ等に格納された情報を受信する。ここで、通信機に格納された情報は、通信機が組み込まれた首輪を装着した犬を識別する登録番号である。そして、各発光制御処理部は、受信した登録番号の数を照明制御サーバ２００へ送信する。
【００３７】
照明制御サーバ２００は、各発光制御処理部から受信した登録番号の数に応じて、各照明装置の発光パターンを選択し、対応する照明装置へ選択した発光パターンを示すパターン情報を送信する。
【００３８】
照明装置１０、１１、１２において、発光制御処理部１１０、１２０、１３０は、受信したパターン情報に基づき、各照明装置の有する発光体の発光を制御する。
【００３９】
以下に、本実施形態の照明システム１００の有する各装置について説明する。図３は、照明制御サーバのハードウェア構成の一例を示す図である。
【００４０】
本実施形態の照明制御サーバ２００は、それぞれバスＢで相互に接続されている入力装置２０１、出力装置２０２、ドライブ装置２０３、補助記憶装置２０４、メモリ装置２０５、演算処理装置２０６及びインターフェース装置２０７を含む情報処理装置である。
【００４１】
入力装置２０１は、情報の入力を行うための装置であり、出力装置２０２は、情報を出力すめるための装置である。インターフェース装置２０７は、ＬＡＮカード等を含み、ネットワークに接続する為に用いられる。
【００４２】
照明制御プログラムは、照明制御サーバ２００を制御する各種プログラムの少なくとも一部である。照明制御プログラムは例えば記憶媒体２０８の配布やネットワークからのダウンロードなどによって提供される。照明制御プログラムを記録した記憶媒体２０８は、ＣＤ−ＲＯＭ、フレキシブルディスク、光磁気ディスク等の様に情報を光学的、電気的或いは磁気的に記録する記憶媒体、ＲＯＭ、フラッシュメモリ等の様に情報を電気的に記録する半導体メモリ等、様々なタイプの記憶媒体を用いることができる。
【００４３】
また、照明制御プログラムは、照明制御プログラムを記録した記憶媒体２０８がドライブ装置２０３にセットされると、記憶媒体２０８からドライブ装置２０３を介して補助記憶装置２０４にインストールされる。ネットワークからダウンロードされた照明制御プログラムは、インターフェース装置２７を介して補助記憶装置２０４にインストールされる。
【００４４】
補助記憶装置２０４は、インストールされた照明制御プログラムを格納すると共に、必要なファイル、データ等を格納する。メモリ装置２０５は、コンピュータの起動時に補助記憶装置２０４から照明制御プログラムを読み出して格納する。そして、演算処理装置２０６はメモリ装置２０５に格納された照明制御プログラムに従って、後述するような各種処理を実現している。
【００４５】
図４は、照明装置のハードウェア構成の一例を示す図である。本実施形態の照明装置１０〜１２は、同様のハードウェア構成を有するため、図４では、一例として照明装置１０のハードウェア構成について説明する。
【００４６】
本実施形態の照明装置１０は、それぞれバスＢで相互に接続されている発光体１０１、通信装置１０２、ドライブ装置１０３、補助記憶装置１０４、メモリ装置１０５、演算処理装置１０６及びインターフェース装置１０７を含む情報処理装置である。
【００４７】
発光体１０１は、例えばＬＥＤ（Light  Emitting  Diode）等である。通信装置１０２は、例えば照明装置１０の周囲に対して送信要求信号を送信し、応答を受け付けるための装置である。インターフェース装置１０７はネットワークに接続する為に用いられる。
【００４８】
発光制御プログラムは、照明装置１０を制御する各種プログラムの少なくとも一部である。発光制御プログラムは例えば記憶媒体１０８の配布やネットワークからのダウンロードなどによって提供される。発光制御プログラムを記録した記憶媒体１０８は、ＣＤ−ＲＯＭ、フレキシブルディスク、光磁気ディスク等の様に情報を光学的、電気的或いは磁気的に記録する記憶媒体、ＲＯＭ、フラッシュメモリ等の様に情報を電気的に記録する半導体メモリ等、様々なタイプの記憶媒体を用いることができる。
【００４９】
また、発光制御プログラムは、発光制御プログラムを記録した記憶媒体１０８がドライブ装置１０３にセットされると、記憶媒体１０８からドライブ装置１０３を介して補助記憶装置１０４にインストールされる。ネットワークからダウンロードされた発光制御プログラムは、インターフェース装置１０７を介して補助記憶装置１０４にインストールされる。
【００５０】
補助記憶装置１０４は、インストールされた発光制御プログラムを格納すると共に、必要なファイル、データ等を格納する。メモリ装置１０５は、コンピュータの起動時に補助記憶装置１０４から発光制御プログラムを読み出して格納する。そして、演算処理装置１０６はメモリ装置１０５に格納された発光制御プログラムに従って、後述するような各種処理を実現している。
【００５１】
次に、図５を参照して本実施形態の照明システム１００の有する各装置の機能について説明する。図５は、第一の実施形態の照明システムの有する各装置の機能を説明する図である。
【００５２】
始めに、照明装置１０の機能構成について説明する。尚、本実施形態では、照明装置１０〜１２は、それぞれが同様の機能構成を有しているため、図５では、一例としている。以下に示す各部は、照明装置１０の演算処理装置１０６が、メモリ装置１０５等に格納された発光制御プログラムを読み出して実行することで実現される。
【００５３】
本実施形態の照明装置１０は、発光制御処理部１１０を有する。発光制御処理部１１０は、送信要求送信部１１１、応答受信部１１２、計数部１１３、計数通知部１１４、発光指示受付部１１５、発光制御部１１６を有する。
【００５４】
送信要求送信部１１１は、所定間隔毎に、送出距離Ｌとした送信要求信号を、照明装置１０の周囲に送信する。
【００５５】
応答受信部１１２は、送信要求信号の受信圏内に存在する通信機からの、送信要求信号に対する応答を受信する。本実施形態では、通信機２１〜２４のメモリ等には、通信機２１〜２４が組み込まれた首輪を装着した犬毎の登録番号が格納されているものとした。
【００５６】
よって、本実施形態の応答受信部１１２は、送信要求信号に対する応答として、犬の登録番号を受信する。
【００５７】
計数部１１３は、応答受信部１１２が受信した登録番号の数をカウントする。計数部１１３が受信した登録番号の数とは、すなわち、照明装置１０の送信要求信号の受信圏内に滞在している犬の数である。
【００５８】
計数通知部１１４は、計数部１１３によりカウントされた数を照明制御サーバ２００へ通知する。このとき、計数通知部１１４は、カウント数と共に、照明装置１０を識別するための識別情報である照明ＩＤをカウント数と共に照明制御サーバ２００へ通知する。
【００５９】
発光指示受付部１１５は、照明制御サーバ２００から送信されるパターン情報を受信する。発光制御部１１６は、パターン情報に基づき、発光体１０１を発光させる。
【００６０】
次に、本実施形態の照明制御サーバ２００について説明する。本実施形態の照明制御サーバ２００は、照明制御処理部２１０を有する。
【００６１】
本実施形態の照明制御処理部２１０は、カウント数取得部２１１、カウント数保持部２１２、発光パターン選択部２１３を有する。
【００６２】
カウント数取得部２１１は、照明装置１０から通知されたカウント数と、照明装置１０の照明ＩＤとを取得する。カウント数保持部２１２は、カウント数取得部２１１が取得したカウント数と照明ＩＤとを対応付けて、カウント数情報として保持する。カウント数情報の詳細は後述する。
【００６３】
発光パターン選択部２１３は、発光パターンテーブル２１４を保持しており、カウント数保持部２１２により保持されたカウント数情報と、発光パターンテーブル２１４と、に基づき、照明装置毎の発光パターンを示すパターン情報を選択する。発光パターンテーブル２１４と、発光パターン選択部２１３の処理の詳細は後述する。
【００６４】
次に、図６を参照して、カウント数保持部２１２が保持するカウント数情報について説明する。図６は、第一の実施形態のカウント数保持部を説明する図である。
【００６５】
本実施形態のカウント数保持部２１２は、図６に示すように、カウント数取得部２１１が取得した照明ＩＤとカウント数とを対応付けたカウント数情報を保持する。
【００６６】
本実施形態では、照明システム１００に含まれる全ての照明装置について、照明ＩＤとカウント数とを取得し、保持しても良い。
【００６７】
図６の例では、照明装置１０の照明ＩＤを「１」とし、照明装置１１の照明ＩＤを「２」とし、照明装置１２の照明ＩＤを「３」とした場合のカウント数情報が保持された例を示している。
【００６８】
よって、照明ＩＤ「１」と対応付けられたカウント数は１となり、照明ＩＤ「２」と対応付けられたカウント数は３となり、照明ＩＤ「３」と対応付けられたカウント数は０となる。
【００６９】
次に、図７を参照して、発光パターンテーブル２１４について説明する。図７は、第一の実施形態の発光パターンテーブルの一例を示す図である。
【００７０】
本実施形態の発光パターンテーブル２１４は、情報の項目として、カウント数、発光色、パターンを有し、項目「カウント数」の値と、その他の項目の値とが対応付けられている。
【００７１】
以下の説明では、項目「カウント数」の値と、その他の項目の値とを含む情報を、パターン情報と呼ぶ。
【００７２】
項目「カウント数」の値は、カウント数取得部２１１により取得されたカウント数を示す。項目「発光色」の値は、照明装置１０の発光体１０１から発光される光線の色を示す。項目「パターン」の値は、発光体１０１の発光のパターンを示す。
【００７３】
図７の例では、カウント数の値をＫとしたとき、０＜Ｋ≦２の場合、発光色が「青」であり、パターンは「５秒間の間１秒間隔で点滅」となる。よって、例えばカウント数「１」と照明ＩＤが対応付けられた照明装置に対しては、「青色の光を５秒間の間１秒間隔で点滅させる」というパターン情報が送信されることになる。
【００７４】
また、図７の例では、カウント数Ｋが３≦Ｋ≦５の場合には、「黄色の光を５秒間の間１秒間隔で点滅させる」というパターン情報が送信されることになる。また、図７の例では、カウント数Ｋ＝０の場合は、「白色を点滅させずに点灯させる」というパターン情報が送信される。尚、カウント数Ｋ＝０の場合のパターン情報は、照明制御処理部２１０による制御を行っていないときの発光のパターンを示す情報であっても良い。
【００７５】
このように、本実施形態では、カウント数に応じて、カウント数と対応する照明装置の発光の態様を異ならせるようにした。
【００７６】
尚、図７に示すパターン情報は一例であり、発光のパターンは図７に示す以外のパターンであっても良い。
【００７７】
次に、図８を参照して、本実施形態の照明システム１００の動作について説明する。図８は、第一の実施形態の照明システムの動作を説明するシーケンス図である。本実施形態の照明システム１００は、所定間隔毎に図８に示す動作を行っても良い。
【００７８】
特に、本実施形態では、夕方や夜間等、見通しが効かない時間帯において、所定間隔毎に図８に示す動作を行っても良い。見通しの効かない時間帯は、来園者は、犬の姿を直接目視で確認することが困難となるため、照明装置の発光の態様によって犬の存在を通知することが有効となる。また、所定間隔とは、例えば１分〜１０分の間である。
【００７９】
また、本実施形態の照明システム１００では、図８に示す処理を、照明システム１００に含まれる全ての照明装置に対して行う。
【００８０】
本実施形態の照明システム１００において、照明装置１０は、送信要求送信部１１１により、送信要求信号を周囲に発信する（ステップＳ８０１）。この送信要求信号を受信した通信機２１が存在する場合、照明装置１０は、応答受信部１１２により、通信機２１からの応答信号を受信する（ステップＳ８０２）。ここで受信する応答信号は、通信機２１が装着された犬の登録番号である。
【００８１】
続いて、発光制御処理部１１０は、計数部１１３により、応答した登録番号の数をカウントし（ステップＳ８０３）、照明装置１０の照明ＩＤと共にカウント数を照明制御サーバ２００へ通知する（ステップＳ８０４）。
【００８２】
照明制御サーバ２００は、照明制御処理部２１０のカウント数取得部２１１により、カウント数と照明ＩＤの通知を取得すると、カウント数保持部２１２により、カウント数と照明ＩＤとを対応付けたカウント数情報として保持する（ステップＳ８０５）。
【００８３】
続いて、照明制御処理部２１０は、発光パターン選択部２１３により、発光パターンテーブル２１４を参照し、カウント数に応じたパターン情報を選択する（ステップＳ８０６）。続いて、発光パターン選択部２１３は、選択したパターン情報を、照明装置１０に対して送信する（ステップＳ８０７）。
【００８４】
照明装置１０は、発光指示受付部１１５によりパターン情報を受け付けると、発光制御部１１６により、パターン情報にしたがって発光体１０１を発光させる（ステップＳ８０８）。
【００８５】
本実施形態の照明システム１００では、次に、ステップＳ８０１へ戻るまで、ステップＳ８０８における発光制御部１１６による発光体１０１の発光の制御を行っても良い。言い換えれば、本実施形態の照明装置１０は、次に照明装置１０が送信要求信号を発信するまで、ステップＳ８０８で受け付けたパターン情報に従って、発光体１０１を制御しても良い。
【００８６】
以下に、図６及び図７を参照し、発光パターン選択部２１３の処理を具体的には説明する。
【００８７】
本実施形態の発光パターン選択部２１３は、カウント数情報を参照する。そして、カウント数情報に保持されている照明ＩＤ毎にパターン情報を選択する。
【００８８】
図６に示すカウント数情報において、照明ＩＤ「１」と対応するカウント数は「１」である。よって、発光パターン選択部２１３は、発光パターンテーブル２１４を参照し、カウント数Ｋが０＜Ｋ≦２と対応する「青色の光を５秒間の間１秒間隔で点滅させる」というパターン情報を選択する（図７参照）。
【００８９】
そして、発光パターン選択部２１３は、選択したパターン情報を、照明ＩＤ「１」である照明装置１０へ送信する。
【００９０】
照明装置１０は、このパターン情報を受け付けて、発光制御部１１６により、パターン情報にしたがって発光体１０１を制御し、青色の光を５秒間の間１秒間隔で点滅させる。
【００９１】
また、図６に示すカウント数情報において、照明ＩＤ「２」と対応するカウント数は「３」である。よって、発光パターン選択部２１３は、発光パターンテーブル２１４を参照し、カウント数Ｋが３＜Ｋ＜５と対応する「黄色の光を５秒間の間１秒間隔で点滅させる」というパターン情報を選択する（図７参照）。
【００９２】
そして、発光パターン選択部２１３は、選択したパターン情報を、照明ＩＤ「２」である照明装置１１へ送信する。
【００９３】
照明装置１１は、このパターン情報を受け付けて、発光制御部１１６により、パターン情報にしたがって発光体１０１を制御し、黄色の光を５秒間の間１秒間隔で点滅させる。
【００９４】
さらに、図６に示すカウント数情報において、照明ＩＤ「３」と対応するカウント数は「０」である。よって、発光パターン選択部２１３は、発光パターンテーブル２１４を参照し、カウント数ＫがＫ＝０と対応する「白色を点滅させずに点灯する」というパターン情報を選択する（図７参照）。
【００９５】
そして、発光パターン選択部２１３は、選択したパターン情報を、照明ＩＤ「３」である照明装置１２へ送信する。
【００９６】
照明装置１２は、このパターン情報を受け付けて、発光制御部１１６により、パターン情報にしたがって発光体１０１を制御し、白色を点滅させずに点灯させる。
【００９７】
このように、本実施形態によれば、３つの照明装置１０〜１２について、それぞれの近傍に存在する犬の数に応じて態様で発光させることができる。
【００９８】
このため、本実施形態によれば、照明装置１０〜１２の発光の仕方によって、どの方角にどの程度の数の犬が存在しているかを、公園１の敷地内の来園者Ｈに提示することができる。つまり、本実施形態によれば、来園者Ｈに対し、自身が快適に過ごすためにはどの方角に進めば良いか、の判断基準を提示することができる。
【００９９】
よって、本実施形態によれば、快適に過ごすための行動の選択における指標を提示できる。
【０１００】
尚、本実施形態では、照明ＩＤ毎のカウント数に応じたパターン情報に従って照明装置の発光体を制御するものとしたが、これに限定されない。
【０１０１】
例えば、照明制御サーバ２００は、各照明ＩＤと対応するカウント数から、カウント数の平均値を算出し、平均値よりもカウント数が多い照明ＩＤに対して、平均値とカウント数との差に応じたパターン情報を送信しても良い。
【０１０２】
また、照明制御サーバ２００は、カウント数が多い照明ＩＤから順に、所定台数の照明装置に対して、カウント数に応じたパターン情報を送信しても良い。
【０１０３】
また、本実施形態では、照明制御処理部２１０が、照明装置１０〜１２とネットワークを介して通信する照明制御サーバ２００に設けられるものとしたが、これに限定されない。本実施形態の照明制御処理部２１０は、例えば、照明装置１０〜１２の何れか１つに設けられていても良い。この場合、照明システムは、複数の照明装置を有するシステムとなり、照明制御処理部２１０を有する照明装置が、照明制御サーバの役割を担うことになる。
【０１０４】
照明システムに含まれる装置を照明装置のみとした場合には、照明制御サーバを設置する必要がなく、照明制御サーバの管理や、照明制御サーバを設置するためのコストや手間を削減することができる。
【０１０５】
また、本実施形態では、パターン情報に基づき発光体１０１を制御する発光制御部１１６は、照明装置１０に設けられるものとしたが、これに限定されない。発光制御部１１６は、例えば照明制御サーバ２００に設けられていても良い。この場合、照明制御サーバ２００は、照明ＩＤに対応したパターン情報が選択されると、選択されたパターン情報に基づき、照明装置１０の発光体１０１を制御すれば良い。したがって、この場合には、照明装置１０に対してパターン情報を送信する必要がなく、照明装置１０を簡素な構成とすることができる。また、この場合、照明装置１０は発光体１０１の制御を行う必要がなくなるため、照明装置１０の処理の負荷を軽減することができる。
【０１０６】
（第二の実施形態）
以下に図面を参照して第二の実施形態について説明する。第二の実施形態では、通信機のメモリに、犬の個体情報が格納されており、個体情報を用いて発光体の発光を制御する点が第一の実施形態と相違する。よって、以下の第二の実施形態の説明では、第一の実施形態との相違点についてのみ説明し、第一の実施形態と同様の機能構成を有するものには、第一の実施形態の説明で用いた符号と同様の符号を付与し、その説明を省略する。
【０１０７】
図９は、第二の実施形態の照明システムのシステム構成の一例を説明する図である。本実施形態の照明システム１００Ａは、照明制御サーバ２００Ａと、照明装置１０Ａ、１１Ａ、１２Ａを有する。
【０１０８】
照明制御サーバ２００Ａは、照明制御処理部２１０Ａを有する。照明装置１０Ａ、１１Ａ、１２Ａのそれぞれは、発光制御処理部１１０Ａ、１２０Ａ、１３０Ａを有する。
【０１０９】
本実施形態では、第一の実施形態で説明した照明装置１０Ａ〜１２Ａの制御に加え、犬の個体に関する個体情報に基づく発光体の制御を行う。
【０１１０】
本実施形態では、通信機２１〜２４には、通信機２１〜２４が組み込まれた首輪を装着した犬の登録番号の他に、犬の個体に関する個体情報が格納されている。照明装置１０Ａ〜１２Ａは、通信機２１〜２４から、登録番号と個体情報とを受信すると、登録番号と個体情報を照明ＩＤと共に照明制御サーバ２００Ａへ送信する。
【０１１１】
照明制御サーバ２００Ａは、照明ＩＤと登録番号と個体情報とを、応答情報として保持する。
【０１１２】
また、本実施形態では、例えば犬の飼い主が端末装置３００を有するものとする。そして、本実施形態では、端末装置３００において、条件が指定されると、指定された条件を満たす犬の数を判定し、条件が指定された端末装置３００の近傍にある照明装置について、条件を満たす犬の数に応じて発光を制御する。
【０１１３】
図９では、通信機２１が装着された犬の飼い主が端末装置３００−１、通信機２２が装着された犬の飼い主が端末装置３００−２、通信機２３が装着された犬の飼い主が端末装置３００−３、通信機２４が装着された犬の飼い主が端末装置３００−４をそれぞれ有する場合を示している。
【０１１４】
この場合に、例えば、端末装置３００−１を有する飼い主が、端末装置３００−１から犬の個体情報に関連する条件を指定したとする。
【０１１５】
この場合、端末装置３００−１は、入力された条件を照明装置１０Ａに送信し、照明装置１０Ａは、通知された条件を照明制御サーバ２００Ａへ送信する。すると、照明制御サーバ２００Ａは、保持している応答情報に基づき、条件を満たす犬の数を判定する。
【０１１６】
また、照明制御サーバ２００Ａは、端末装置３００−１から条件が送信された照明装置１０Ａと、その近傍の照明装置を特定する。
【０１１７】
そして、照明制御サーバ２００Ａは、条件を満たす犬の数に応じて、特定された照明装置に対するパターン情報を選択し、対応する照明装置へ送信する。パターン情報を受信した照明装置は、パターン情報に応じて発光体を発光させる。
【０１１８】
本実施形態では、このように、犬の個体情報を照明制御サーバ２００Ａに保持させることで、端末装置３００において入力された条件を満たす犬の数に応じて照明装置１０Ａ〜１２Ａの発光を制御することができる。したがって、本実施形態によれば、特定の犬にのみ遭遇したくない場合等、来園者のより詳細な嗜好にあわて、行動の選択の指標を提示させることができる。
【０１１９】
尚、以下の説明では、端末装置３００−１〜３００−４を区別しない場合には、端末装置３００と呼ぶ。
【０１２０】
以下に、本実施形態の照明システム１００Ａの各装置について説明する。図１０は、第二の実施形態の照明システムの有する各装置の機能を説明する図である。
【０１２１】
始めに、本実施形態の照明装置１０Ａについて説明する。尚、本実施形態の照明装置１０Ａ、１１Ａ、１２Ａは、同様の機能を有するため、図１０では、一例として照明装置１０Ａの機能につい説明する。
【０１２２】
本実施形態の照明装置１０Ａの発光制御処理部１１０Ａは、送信要求送信部１１１、応答受信部１１２、計数部１１３、発光指示受付部１１５、発光制御部１１６、応答情報通知部１１７、条件通知部１１８を有する。
【０１２３】
つまり、本実施形態の発光制御処理部１１０Ａは、第一の実施形態の計数通知部１１４の代わりにも応答情報通知部１１７を有し、さらに条件通知部１１８を有する。
【０１２４】
本実施形態の応答情報通知部１１７は、応答受信部１１２が通信機２１のメモリに格納された登録番号と個体情報とカウント数とを受信すると、照明装置１０Ａの照明ＩＤを登録番号、個体情報及びカウント数に対応付けて応答情報とし、照明制御サーバ２００Ａへ通知する。
【０１２５】
条件通知部１１８は、端末装置３００において指定された条件を示す情報を受信し、照明制御サーバ２００Ａへ通知する。
【０１２６】
次に、照明制御サーバ２００Ａについて説明する。本実施形態の照明制御サーバ２００Ａの照明制御処理部２１０Ａは、応答情報取得部２１１Ａ、応答情報保持部２１２Ａ、発光パターン選択部２１３、発光指示部２１５、条件取得部２１６を有する。
【０１２７】
応答情報取得部２１１Ａは、照明装置１０Ａから応答情報を取得する。応答情報保持部２１２Ａは、取得した応答情報を保持する。応答情報の詳細は後述する。
【０１２８】
発光指示部２１５は、照明配置情報２１７を保持しており、条件取得部２１６が取得した条件と、照明配置情報２１７と、に基づき、発光体の制御を指示する照明装置を選択し、発光体の制御を指示する。照明配置情報２１７の詳細は後述する。
【０１２９】
次に、図１１を参照して応答情報について説明する。図１１は、第二の実施形態の応答情報の一例を示す図である。本実施形態の応答情報２１８は、情報の項目として、照明ＩＤ、カウント数、登録番号、個体情報を含み、項目「照明ＩＤ」とその他の項目が対応付けられている。
【０１３０】
項目「個体情報」の値は、犬の個体の特徴を示す情報であり、項目「大きさ」、「犬種」、「性別」、「年齢」等が含まれる。尚、個体情報に含まれる項目は、図１１の例に限定されなまい。個体情報に含まれる項目は、他の項目が含まれていても良いし、上述した項目の一部でも良い。
【０１３１】
図１１では、例えば、照明ＩＤ「１」から、カウント数「１」、登録番号「２３４５６７」、小型犬のオス、１才のチワワ」という応答情報を受信したことがわかる。
【０１３２】
次に、図１２を参照して、照明配置情報について説明する。図１２は、第二の実施形態の照明配置情報の一例を示す図である。
【０１３３】
本実施形態の照明配置情報２１７は、情報の項目として、照明ＩＤと、設置位置とを有し、両者は対応付けられている。
【０１３４】
項目「設置位置」の値は、照明ＩＤが特定する照明装置が設置された位置情報を示している。位置情報は、例えば緯度と経度とによって示されても良い。
【０１３５】
次に、図１３を参照して本実施形態の照明システム１００Ａの動作について説明する。図１３は、第二の実施形態の照明システムの動作を説明するシーケンス図である。
【０１３６】
本実施形態の照明システム１００Ａにおいて、照明装置１０Ａは、送信要求送信部１１１により、送信要求信号を周囲に発信する（ステップＳ１３０１）。この送信要求信号を受信した通信機２１が存在する場合、照明装置１０Ａは、応答受信部１１２により、通信機２１からの応答信号を受信する（ステップＳ１３０２）。ここで受信する応答信号は、通信機２１が装着された犬の登録番号と、犬の個体情報である。
【０１３７】
続いて、発光制御処理部１１０Ａは、計数部１１３により、応答した登録番号の数をカウントする（ステップＳ１３０３）。そして、照明装置１０Ａは、照明装置１０Ａの照明ＩＤと、通信機２１から受信した登録番号及び個体情報と、カウント数とを対応付けた応答情報を照明制御サーバ２００へ通知する（ステップＳ１３０４）。
【０１３８】
尚、ここで、照明装置１０Ａが複数の通信機から登録番号及び個体情報を受信した場合には、照明装置１０Ａは、照明ＩＤと、各通信機から受信した登録番号及び個体情報と、カウント数とを対応付けた応答情報を照明制御サーバ２００へ送信することになる。
【０１３９】
続いて、照明制御サーバ２００Ａは、照明制御処理部２１０Ａの応答情報取得部２１１Ａにより、応答情報を取得すると、応答情報保持部２１２Ａにより、応答情報を保持する（ステップＳ１３０５）。
【０１４０】
続いて、照明制御処理部２１０Ａは、発光パターン選択部２１３により、発光パターンテーブル２１４を参照し、応答情報に含まれるカウント数に応じたパターン情報を選択する（ステップＳ１３０６）。続いて、発光パターン選択部２１３は、選択したパターン情報を、照明装置１０Ａに対して送信する（ステップＳ１３０７）。
【０１４１】
照明装置１０Ａは、発光指示受付部１１５によりパターン情報を受け付けると、発光制御部１１６により、パターン情報にしたがって発光体１０１を発光させる（ステップＳ１３０８）。
【０１４２】
また、本実施形態の照明システム１００Ａにおいて、端末装置３００において、犬の個体情報に関する条件が指定され、条件を示す情報が照明装置１０Ａに送信されたとする（ステップＳ１３０９）。ここで、個体情報に関する条件とは、例えば犬の大きさや犬種、年齢、性別等に関する条件である。
【０１４３】
この場合、照明装置１０Ａは、条件通知部１１８により、受信した条件を示す情報を、照明ＩＤと共に照明制御サーバ２００Ａに通知する（ステップＳ１３１０）。
【０１４４】
照明制御サーバ２００Ａは、照明ＩＤと条件の通知を受け付けると、条件取得部２１６により条件を取得し、条件に応じたパターン情報を選択する（ステップＳ１３１１）。ステップＳ１３１１における照明制御サーバ２００Ａの処理の詳細は後述する。
【０１４５】
続いて、照明制御サーバ２００Ａは、発光指示部２１５により、選択されたパターン情報を照明装置１０Ａに送信する（ステップＳ１３１２）。
【０１４６】
照明装置１０Ａは、発光指示受付部１１５によりパターン情報を受信すると、発光制御部１１６により、パターン情報に基づき、発光体１０１の発光を制御する（ステップＳ１３１３）。
【０１４７】
ここで、図１４を参照して、照明制御サーバ２００Ａが個体情報に関する条件を受け付けた場合の処理を説明する。図１４は、第二の実施形態の照明制御サーバの動作を説明するフローチャートである。図１４では、図１３のステップＳ１３１１の処理の詳細を示している。
【０１４８】
本実施形態の照明制御サーバ２００Ａの照明制御処理部２１０Ａは、条件取得部２１６により、照明装置１０Ａから照明ＩＤと条件の通知を受け付けたか否かを判定する（ステップＳ１４０１）。
【０１４９】
ステップＳ１４０１において、照明ＩＤと条件の通知を受け付けない場合、条件取得部２１６は、受け付けるまで待機する。
【０１５０】
ステップＳ１４０１において、照明ＩＤと条件の通知を受け付けると、照明制御処理部２１０Ａは、発光指示部２１５により、照明配置情報２１７を参照し、受け付けた照明ＩＤが示す照明装置１０Ａの近傍に設置された所定台数の照明装置を選択する（ステップＳ１４０２）。
【０１５１】
具体的には、本実施形態の発光指示部２１５は、照明配置情報を参照し、照明ＩＤが示す照明装置１０Ａを中心とした所定範囲の領域内に設置された照明装置の照明ＩＤを選択しても良い。また、本実施形態の発光指示部２１５は、照明配置情報を参照し、照明ＩＤが示す照明装置１０Ａと隣接する照明装置の照明ＩＤを選択しても良い。
【０１５２】
尚、本実施形態では、ステップＳ１４０２において選択する照明装置の条件が予め設定されていても良い。例えば、本実施形態では、選択される照明装置を、端末装置３００から条件を示す情報を受信した照明装置と隣接する照明装置としておいても良い。選択される照明装置は、条件が指定された端末装置３００の利用者から、発光の状態が視認できる範囲内に設置されているものであれば良い。
【０１５３】
続いて、照明制御処理部２１０Ａは、応答情報保持部２１２Ｓにより保持されている応答情報２１８を参照する（ステップＳ１４０３）。
【０１５４】
次に、照明制御処理部２１０Ａは、発光パターン選択部２１３により、ステップＳ１４０２で選択された照明装置の照明ＩＤ毎に、条件と合致する応答情報の数をカウントする（ステップＳ１４０４）。
【０１５５】
続いて、発光パターン選択部２１３は、各照明ＩＤについて、カウント数に応じたパターン情報を選択し（ステップＳ１４０５）、図１３のステップＳ１３１２へ進む。
【０１５６】
以下に、照明制御サーバ２００Ａの処理を具体的に説明する。ここでは、例えば、犬Ａを連れて照明装置１０Ａの近辺を散歩していた来園者は、自身の連れている犬Ａが小型犬であることから、大型犬との遭遇を回避するために、「大型犬」という条件を指定した場合について説明する。
【０１５７】
この場合、端末装置３００−１は、条件の指定を受け付けると、照明装置１０Ａに対して条件「大型犬」を送信する。
【０１５８】
尚、本実施形態の端末装置３００には、例えば照明システム１００Ａを用いるためのアプリケーション等がインストールされていても良い。端末装置３００では、このアプリケーションによって、指定可能な条件の一覧が表示されても良い。このとき、指定可能な条件の一覧は、例えば個体情報に含まれる各項目の値の一覧であっても良い。端末装置３００は、この一覧から条件が指定されると、指定された条件を、送信要求信号の送信元である照明装置１０Ａに送信するものとした。
【０１５９】
照明装置１０Ａは、条件「大型犬」を受け付けると、この条件と、自機の照明ＩＤ「１」とを照明制御サーバ２００Ａへ送信する。
【０１６０】
照明制御サーバ２００Ａは、照明ＩＤ「１」と条件「大型犬」とを受け付けると、照明配置情報２１７を参照する。ここでは、照明ＩＤ「１」と隣接する照明装置を発光制御の対象とするものとする。
【０１６１】
その場合、照明制御サーバ２００Ａは、照明ＩＤ「１」と対応した位置情報と、他の照明ＩＤと対応した位置情報とから、照明ＩＤ「１」が示す照明装置１０Ａと隣接する照明装置の照明ＩＤを選択する。
【０１６２】
ここでは、照明装置１０Ａと隣接する照明装置は、照明装置１１Ａ、１２Ａであり、各照明装置の照明ＩＤは、照明ＩＤ「２」、「３」である。よって、照明制御サーバ２００Ａは、照明ＩＤ「２」、「３」を選択する。
【０１６３】
次に、照明制御サーバ２００Ａは、照明ＩＤ「２」を含む応答情報と、照明ＩＤ「３」を含む応答情報のうち、条件「大型犬」を含む応答情報のレコード数をカウントする（図１１参照）。
【０１６４】
照明ＩＤ「２」を含む応答情報では、登録番号「１０１２３４」を含む応答情報と、登録番号「１３４５６７」を含む応答情報が、「大型犬」を含んでいる。よって、照明ＩＤ「２」のカウント数は「２」となる。また、照明ＩＤ「３」を含む応答情報において、条件「大型犬」を含むものは存在しない。よって、照明ＩＤ「３」のカウント数は「０」となる。
【０１６５】
続いて、照明制御サーバ２００Ａは、照明ＩＤ「２」の照明装置１１Ａに対しては、発光パターンテーブル２１４におけるカウント数「２」のパターン情報を送信する。また、照明制御サーバ２００Ａは、照明ＩＤ「３」の照明装置１２Ａに対しては、発光パターンテーブル２１４におけるカウント数「０」のパターン情報を送信する。
【０１６６】
このように、本実施形態によれば、照明装置１１Ａと照明装置１２Ａに対してパターン情報を送信することで、照明装置１０Ａの近傍で条件を指定した来園者に対し、照明装置１１Ａの近辺には大型犬が複数匹存在し、照明装置１２Ａの近辺には、大型犬は存在しないことを提示できる。
【０１６７】
よって、本実施形態によれば、大型犬との遭遇を回避したい来園者に対し、大型犬との遭遇を回避し、快適に過ごすための行動の判断の指標を提示することができる。
【０１６８】
また、本実施形態では、端末装置３００から条件を示す情報を受信した照明装置の周辺の照明装置に対しパターン情報を送信して発光を制御する。よって、本実施形態によれば、条件を指定した来園者が視認できる範囲で、条件に合致した犬の数を通知することができる。
【０１６９】
また、本実施形態では、条件を「大型犬」としたが、条件は、個体情報に含まれる項目の値であれば、どのような条件であっても良い。例えば、条件を「ブルドッグ」とした場合には、各照明装置は、ブルドッグの数に応じたパターン情報に基づき、発光体１０１の制御を行えば良い。
【０１７０】
このように、本実施形態によれば、来園者の嗜好に合わせて、快適に過ごすための行動の選択における指標を提示できる。
【０１７１】
開示の技術では、以下に記載する付記のような形態が考えられる。
（付記１）
発光体と、
動物に装着された通信機に対して情報送信要求を送信し、該要求に対する応答を受信する通信部と、
前記通信部により受信された応答に基づき、通信機の数を計数する計数部と、
前記計数部により算出された値に応じた様態で前記発光体を発光させる制御部と、
を有することを特徴とする照明システム。
（付記２）
前記通信部および計数部は複数の発光体のそれぞれに対応して設けられ、前記制御部は前記複数の計数部から前記値を受信することを特徴とする付記１記載の照明システム。
（付記３）
前記制御部は、前記値に応じた色で前記発光体を発光させることを特徴とする付記１又は２に記載の照明システム。
（付記４）
前記通信部は、前記複数の発光体のうち、対応する発光体以外の発光体の中で最も近い発光体までの距離より短い送出距離で、前記情報送信要求を送信することを特徴とする付記２に記載の照明システム。
（付記５）
前記制御部は、
前記値に応じた前記発光体の発光パターンを示すパターン情報が格納されたテーブルを有し、
前記複数の計数部から受信した前記値に応じて、前記複数の発光体毎のパターン情報を選択する、ことを特徴とする付記４記載の照明システム。
（付記６）
前記応答は、前記動物の個体に関する個体情報を含み、
前記個体情報を保持する保持部を有し、
前記制御部は、
前記個体を特定する条件の入力を受けて、前記条件と合致する前記個体情報の数に応じた態様で、前記発光体を発光させる、ことを特徴とする付記１乃至５の何れか一項に記載の照明システム。
（付記７）
前記制御部は、
複数の通信部のうち、入力された前記条件の送信元となる通信部と対応する発光体の位置に基づき、前記複数の発光体から、前記個体情報の数に応じた態様で発光させる発光体を選択する、ことを特徴とする付記６記載の照明システム。
（付記８）
動物に装着された通信機に対して情報送信要求を送信し、該要求に対する応答を受信する処理と、
受信された応答に基づき、通信機の数を計数する処理と、
前記計数する処理により算出された値に応じた様態で発光体を発光させる処理と、をコンピュータに実行させることを特徴とする照明制御プログラム。
（付記９）
コンピュータによる照明制御方法であって、該コンピュータが、
動物に装着された通信機に対して情報送信要求を送信し、該要求に対する応答を受信し、
受信された応答に基づき、通信機の数を計数し、
計数する手順により算出された値に応じた様態で発光体を発光させる、ことを特徴とする照明制御方法。
（付記１０）
発光体を有する照明装置と、前記発光体の発光の態様を指示するサーバと、を有する照明システムであって、
前記照明装置は、
動物に装着された通信機に対して情報送信要求を送信し、該要求に対する応答を受信する通信部と、
前記通信部により受信された応答に基づき、通信機の数を計数した値を前記サーバへ通知する計数部と、
前記サーバから指示された前記発光の態様に基づき前記発光体を制御する発光制御部と、
を有し、
前記サーバは、
前記計数した値に応じて、前記照明装置の前記発光体の発光の態様を選択して指示する照明制御処理部を有する、ことを特徴とする照明システム。
【０１７２】
本発明は、具体的に開示された実施形態に限定されるものではなく、特許請求の範囲から逸脱することなく、種々の変形や変更が可能である。
【符号の説明】
【０１７３】
１０、１１、１２、１０Ａ  照明装置
２１、２２、２３、２４  通信機
１００、１００Ａ  照明システム
１１０  発光制御処理部
１１１  送信要求送信部
１１２  応答受信部
１１３  計数部
１１６  発光制御部
２００、２００Ａ  照明制御サーバ
２１０、２１０Ａ  照明制御処理部
２１３  発光パターン選択部
２１４  発光パターンテーブル
２１５  発光指示部
２１６  照明配置情報
２１６  条件取得部
３００  端末装置
【図１】
2018101590.tif 000003
【図２】
2018101590.tif 000004
【図３】
2018101590.tif 000005
【図４】
2018101590.tif 000006
【図５】
2018101590.tif 000007
【図６】
2018101590.tif 000008
【図７】
2018101590.tif 000009
【図８】
2018101590.tif 000010
【図９】
2018101590.tif 000011
【図１０】
2018101590.tif 000012
【図１１】
2018101590.tif 000013
【図１２】
2018101590.tif 000014
【図１３】
2018101590.tif 000015
【図１４】
2018101590.tif 000016